(57)【要約】【課題】  本発明により、対向放電型電極構造を利用してプラズマ放電を誘導するＰＤＰを提供し、隣接した他の色相の放電セルの間において、誤放電によるクロストークの問題を解決するＰＤＰを提供する。【解決手段】  本発明は、互いに対向配置される第１基板と第２基板、前記第１基板と第２基板の間の空間に配置されて複数の放電セルを区画する隔壁、前記第２基板に一方向に沿って平行に形成されるアドレス電極、前記第２基板に前記アドレス電極と離隔して前記アドレス電極と交差する方向に沿って長く連結されて形成される第１電極と第２電極、及び前記放電セル内に形成される蛍光体層を含み、前記第１電極と第２電極は前記第２基板から遠い方向に第１基板に向かって突き出されて、その間に空間をおいて互いに対向するように形成され、前記隔壁と交差する部分で選択的に凹部が形成される構造で構成されるＰＤＰに関する。【選択図】図５
2006120615.tif 000002
【特許請求の範囲】
【請求項１】
互いに対向配置される第１基板と第２基板；
前記第１基板と第２基板の間の空間に配置されて複数の放電セルを区画する隔壁；
前記第２基板に一方向に沿って並んで形成されるアドレス電極；
前記第２基板に、前記アドレス電極と離隔して前記アドレス電極と交差する方向に沿って長く延びるように形成される第１電極と第２電極；及び、
前記放電セル内に形成される蛍光体層；
を含み、
前記第１電極と第２電極は前記第２基板から遠い方向に前記第１基板に向かって突出してその間に空間をおいて互いに対向するように形成され、前記第１電極と第２電極には前記隔壁と交差する部分で選択的に凹部が形成されるプラズマディスプレイパネル。
【請求項２】
前記第２基板で前記アドレス電極を覆うように第１誘電層が形成され、この第１誘電層上に前記第１電極及び第２電極が形成され、この第１電極及び第２電極を各々覆うように第２誘電層が形成されることを特徴とする請求項１に記載のプラズマディスプレイパネル。
【請求項３】
前記凹部がこれと対向する隔壁の幅より大きく形成されることを特徴とする請求項１に記載のプラズマディスプレイパネル。
【請求項４】
互いに隣接した凹部等の間の部分が前記放電セルに対応することを特徴とする請求項１に記載のプラズマディスプレイパネル。
【請求項５】
前記アドレス電極は、各放電セルに対応するように延長形成され、前記凹部が前記アドレス電極の間に配置されることを特徴とする請求項１に記載のプラズマディスプレイパネル。
【請求項６】
前記各々の放電セルに対応するよう一対の第１電極及び第２電極が形成され、前記第１電極及び第２電極は前記アドレス電極の延長方向に沿って互いに交代しながら配置されることを特徴とする請求項１に記載のプラズマディスプレイパネル。
【請求項７】
前記第１電極は、同一色相の蛍光体層を有する隣接する一対の放電セルの間に配置され、前記第２電極は前記第１電極に対向するように前記一対の放電セルの両側で各々配置されることを特徴とする請求項１に記載のプラズマディスプレイパネル。
【請求項８】
前記隔壁は、前記アドレス電極と平行方向に長く延びる第１隔壁部材と、この第１隔壁部材と交差するように形成されながら、それぞれの放電セルを、独立的な放電空間で区画する第２隔壁部材を含み、
前記第１電極は、前記第２隔壁部材上に形成され、前記第２電極は前記第２隔壁部材と隣接する他の第２隔壁部材に隣接して放電セルの内側に各々形成されることを特徴とする請求項７に記載のプラズマディスプレイパネル。
【請求項９】
前記第１電極または前記第２電極は、互いに同一色相の蛍光体層を有する隣接した一対の放電セルの間で一つずつ対応して、
前記第１電極及び第２電極は、前記アドレス電極の延長方向に沿って互いに交代しながら配置されることを特徴とする請求項１に記載のプラズマディスプレイパネル。
【請求項１０】
前記隔壁は、前記アドレス電極と平行方向に長く連結される第１隔壁部材と、前記第１隔壁部材と交差するように形成されながらそれぞれの放電セルを独立的な放電空間で区画する第２隔壁部材を含み、
前記第１電極及び前記第２電極は、前記第２隔壁部材上に形成されることを特徴とする請求項９に記載のプラズマディスプレイパネル。
【請求項１１】
前記第１電極と第２電極が金属電極で構成されることを特徴とする請求項１に記載のプラズマディスプレイパネル。
【請求項１２】
前記アドレス電極が、前記放電セルの一側縁に位置して長く連結されるバス電極と、前記バス電極から前記放電セルの内側に延長される突出電極を含むことを特徴とする請求項１に記載のプラズマディスプレイパネル。
【請求項１３】
前記バス電極は、金属電極で構成されることを特徴とする請求項１２に記載のプラズマディスプレイパネル。
【請求項１４】
前記突出電極は、透明電極で構成されることを特徴とする請求項１２に記載のプラズマディスプレイパネル。
【発明の詳細な説明】
【技術分野】
【０００１】
本発明はプラズマディスプレイパネルに関し、より詳しくはプラズマ放電が互いに対向する電極の対向放電によって誘導されるプラズマディスプレイパネルに関する。
【背景技術】
【０００２】
一般に、プラズマディスプレイパネル（以下、‘ＰＤＰ’という）は、気体放電を通して得られたプラズマから放射される真空紫外線が蛍光体を励起させることによって発生する可視光を利用して映像を実現するディスプレイ素子である。このようなＰＤＰは、６０インチ以上の超大型画面を僅か１０ｃｍ以内の厚さで実現することができて、またＣＲＴのような自発光ディスプレイ素子であるため、色再現力が優れ、視野角による歪曲現象がない特性を有する。また、ＰＤＰはＬＣＤなどに比べて製造工法が単純で生産性及び原価側面からも強い点を有するため、次世代産業用平板ディスプレイ及び家庭用ＴＶディスプレイに脚光を浴びている。
【０００３】
ＰＤＰの構造は、１９７０年代から長い時間をかけて発展されてきたが、現在一般的に知られている構造は、３電極面放電型構造である。３電極面放電型は、同一面上に位置した二つの電極を含んだ一つの基板と、この基板から一定距離をおいて離隔して垂直方向に連結されるアドレス電極を含んだ他の基板によって構成され、二つの基板の間に放電ガスが封入された構造を有する。一般に放電の有無は各ラインに連結されて独立的に制御される走査電極と、前記走査電極に対向しているアドレス電極の放電によって決定されて、輝度を表示する維持放電は同一面上に位置した二つの電極群によって行われる。
【０００４】
一方、最近、市場のＰＤＰは、４２インチ級でＸＧＡ（１０２４  ×  ７６８）級の解像度を有するが、究極的にはフルＨＤ級の画像を表現できるディスプレイ素子が要求されている実情である。ＰＤＰでフルＨＤ級（１９２０  ×  １０８０）の画像を表現するためには、放電セルの大きさを小さくすること、つまり、高精細と呼ばれる高密度構造になることが必要である。
【０００５】
従来の３電極面放電型構造を有するＰＤＰでの放電セル大きさの縮小は電極の長さと面積の縮小を意味する。これは、結果的にＰＤＰの輝度及び効率の減少と共に放電開始電圧の上昇という問題を招くことになりうる。従って、ＰＤＰが高密度になるほど、アドレスは対向放電で、維持放電は面放電で発生させる構造とは異なる構造が必要となってきた。
【０００６】
一方、図１１は放電効率が良いキセノン（Ｘｅ）ガスの分圧を変化させながら、面放電型電極構造と対向放電型電極構造による放電開始電圧の変化推移を示すグラフである。この実験で、面放電型電極構造の電極間放電ギャップは６０μｍに維持し、対向放電型電極構造の電極間放電ギャップは２５０μｍに維持し、内部圧力は４５０torrに維持した。
【０００７】
放電開始電圧が、放電ガスの分圧及び電極間距離に比例するという点を考慮して、この実験結果を見ると、放電ギャップで約１９０μｍ差があったことにもかかわらず、放電開始電圧では最高２０ボルト程度の電位差があった。これは対向放電型電極構造が面放電型電極構造よりプラズマ放電に有利であることを示す。
【発明の開示】
【発明が解決しようとする課題】
【０００８】
本発明の目的は、対向放電型電極構造を利用してプラズマ放電を誘導するＰＤＰを提供することである。
【０００９】
本発明の他の目的は、隣接した他の色相の放電セルの間において、誤放電によるクロストークの問題を解決するＰＤＰを提供することである。
【課題を解決するための手段】
【００１０】
本発明で提供するＰＤＰは、互いに対向配置される第１基板と第２基板、前記第１基板と第２基板の間の空間に配置されて、複数の放電セルを区画する隔壁、前記第２基板に一方向に沿って平行に形成されるアドレス電極、前記第２基板に前記アドレス電極と離隔して前記アドレス電極と交差する方向に沿って長く連結形成される第１電極と第２電極、及び前記放電セル内に形成される蛍光体層を含み、前記第１電極と第２電極は前記第２基板から遠い方向に前記第１基板に向かって突き出されて、その間に空間をおいて互いに対向するように形成され、前記隔壁と交差する部分で選択的に凹部が形成される構造で構成される。
【００１１】
前記第２基板で前記アドレス電極を覆うように第１誘電層が形成され、この第１誘電層上に前記第１電極及び第２電極が形成され、この第１電極及び第２電極を各々覆うように第２誘電層が形成される。
【００１２】
また、前記凹部はこれと対向する隔壁の幅より大きく形成されることが好ましく、互いに隣接した凹部等の間の部分が前記放電セルに対応することが好ましい。
【００１３】
また、前記アドレス電極は、各々の放電セルに対応するように延長形成され、前記凹部が前記アドレス電極の間に配置されることもできる。
【００１４】
一方、前記放電セル各々に対応するように一対の第１電極及び第２電極が形成され、前記第１電極及び第２電極は、前記アドレス電極の延長方向に沿って相互交代しながら配置される。
【００１５】
また、前記第１電極は、同一色相の蛍光体層を有する隣接する一対の放電セルの間に配置され、第２電極はこの第１電極に対向するように前記一対の放電セルの両側で各々配置されることも出来る。
【００１６】
この時、前記隔壁は、前記アドレス電極と平行方向に長く連結される第１隔壁部材と、この第１隔壁部材と交差するように形成されながらそれぞれの放電セルを独立的な放電空間で区画する第２隔壁部材で形成されて、前記第１電極は前記第２隔壁部材上に形成され、前記第２電極はこの第２隔壁部材と隣接した他の第２隔壁部材に隣接して放電セル内側で各々形成されることが好ましい。
【００１７】
また、前記第１電極または前記第２電極は互いに同一色相の蛍光体層を有する隣接する一対の放電セルの間で一つずつ対応して、このような第１電極と第２電極は前記アドレス電極の延長方向に沿って互いに交代しながら配置される事も出来る。
【００１８】
この時、前記第１電極及び第２電極は、前記第２隔壁部材上に形成されることが好ましい。
【００１９】
一方、前記第１電極と第２電極は、金属電極で構成されることが好ましい。
【００２０】
また、前記アドレス電極は、前記放電セルの一側縁に位置し長く連結されるバス電極と、前記バス電極から前記放電セルの内側に延長される突出電極を含む構造で形成されることが好ましい。
【００２１】
そして、前記アドレス電極は前記放電セルの一方の端部に位置して長く連なるバス電極と、前記バス電極から前記放電セル内側に延長される突出電極を含む構造に形成されることが好ましい。
【００２２】
また、前記バス電極は、金属電極で構成され、前記突出電極は透明電極で構成されることが好ましい。
【発明の効果】
【００２３】
本発明によるＰＤＰは、アドレス電極を前面基板に配置することによって、背面基板に形成される隔壁によって形成される放電空間がさらに大きく確保できる。これは蛍光体が塗布される部分の面積が広くなることによって発光効率が増加することを意味する。
【００２４】
また、蛍光体上に電荷が積まれイオンスパッタリングなどにより、蛍光体寿命の短縮を防止することができる。
【００２５】
また、アドレス放電に関与する走査電極とアドレス電極を近く配置させることによって、アドレス電圧を低くすることができ、維持電極と走査電極の間では対向放電を誘導することによって、発光効率に優れていると知られるロングギャップ放電が可能になるため、従来の面放電構造に比べてさらに高い発光効率を得ることができる。
【００２６】
また、本発明では互いに異なる色相を有する隣接する放電セルを横切る電極部分に凹部が形成される。この凹部が形成されることによって、凹部が形成される部分に対する電荷分布量が減少され、誤放電による放電が隣接する放電セルに拡散するクロストークの問題が解決できる。
【００２７】
また、ＰＤＰが高密度化されて放電セルの大きさが小さくなることによって、従来の面放電構造で引き起こされる主要な問題、つまり、発光効率と輝度の減少、放電開始電圧増加などの問題が同時に解決できる。
【発明を実施するための最良の形態】
【００２８】
以下、添付図を参照して本発明の好ましい実施形態について当業者が容易に実施できるように詳細に説明する。しかし、本発明は多様な形態に実現できて、ここで説明する実施形態に限られるものではない。
【００２９】
図１は、本発明の第１実施形態によるＰＤＰを示す部分分解斜視図であり、図２は図１に示すＰＤＰで電極と放電セルの構造を概略的に示す部分平面図である。そして、図３は、本実施形態のＰＤＰをＩＩＩ−ＩＩＩ線に沿って切開した部分結合断面図である。
【００３０】
図で示された通り、本実施形態によるＰＤＰは、第１基板１０（以下、‘背面基板’）と第２基板２０（以下、‘前面基板’）が所定の間隔をおいて互いに対向配置され、両基板１０、２０の間の空間には複数の放電セル１８が隔壁１６によって区画される。放電セル１８内には紫外線で励起されて可視光を放出する蛍光体層１９が隔壁の側面１６１と底面１４１に沿って形成され、プラズマ放電を起こせるように放電ガス（一例としてキセノン（Ｘｅ）、ネオン（Ｎｅ）などを含む混合ガス）が注入される。
【００３１】
前面基板２０の内面２０１には一方向（図面のｙ軸方向）に沿ってアドレス電極３２が平行に形成され、これらアドレス電極３２を覆いながら前面基板２０の内側面全体に誘電層２８が形成される。アドレス電極３２は、一定の間隔を維持しながら互いに平行に形成される。
【００３２】
この誘電層２８上には表示電極２５が形成される。これら表示電極２５は、アドレス電極３２と誘電層２８を間に置いて分離されることによって電気的に絶縁状態となる。
【００３３】
背面基板１０の内面１０１には、誘電層１４が形成され、隔壁１６は前記誘電層１４上に形成されるが、本実施形態で隔壁１６はアドレス電極３２と平行方向に長く連結される第１隔壁部材１６ａと、この第１隔壁部材１６ａと交差するように形成されながら、それぞれの放電セル１８を独立的な放電空間に区画する第２隔壁部材１６ｂで構成される。このような隔壁構造は、前記説明した構造に限定されず、アドレス電極３２と並んでいる隔壁部材のみで構成される帯状型隔壁構造も本発明に適用できて、放電セルを区画する多様な形状の隔壁構造も実現可能であり、これらも本発明の範囲に属する。
【００３４】
また、他の例として背面基板１０上に誘電層１４が形成されない状態で隔壁１６が形成される事も出来る。
【００３５】
図２を参照すると、表示電極２５は、各放電セル１８に対応する第１電極２１（以下、‘維持電極’という）と第２電極２３（以下、‘走査電極’という）を含み、これら維持電極２１及び走査電極２３は、アドレス電極３２と交差する方向（図面のｘ軸方向）に沿ってそれぞれ長く連結されて形成される。
【００３６】
このように形成される維持電極２１及び走査電極２３は、印加される電気的信号によって、その機能的作用を異なるように構成することができるため、その用語によって限定解釈されるべきではない。
【００３７】
本実施形態によるアドレス電極３２はバス電極３２ｂと突出電極３２ａを含む。バス電極３２ｂは、放電セル１８の一側縁（一方の端部、図面ではｙ軸方向の第１隔壁部材）に隣接して放電セル１８を横切りながら表示電極２５と交差する方向に長く連結される。突出電極２３ａは、このバス電極３２ｂから対向する隔壁１６ａに向かい放電セル１８の内部に延長される。この時、突出電極３２ａはパネルの開口率確保のために透明電極、一例としてＩＴＯ（インジウムスズ酸化物）電極で形成されることができて、バス電極３２ｂは前記透明電極の高い抵抗を補償して通電性を良くするために金属電極で構成されることが好ましい。
【００３８】
一方、維持電極２１と走査電極２３は、前面基板２０から遠い方向（図面のマイナス（−）ｚ軸方向）に前記背面基板１０に向かって突き出されて、その間に空間をおいて互いに対向して放電ギャップＧを形成している。このように形成される空間は、互いに対向する維持電極２１と走査電極２３の間で対向放電を誘導することができる。
【００３９】
また、維持電極２１と走査電極２３を各々その長さ方向に垂直な平面で切断した断面は、基板１０、２０面に平行な方向（図面のｙ軸方向）への長さ（ｗ１）より、基板１０、２０面に垂直方向（図面のｚ軸方向）への長さ（ｗ２）がさらに長く形成されることができる（図３参照）。
【００４０】
即ち、維持電極２１と走査電極２３の前面基板２０面からの高さが、さらに高く形成されることができる。このように維持電極２１と走査電極２３の高さを高くすることによって、高密度ディスプレイを実現するために、放電セルの平面方向の大きさが減少する場合でもその大きさの減少量が補償される。
【００４１】
そして、維持電極２１及び走査電極２３は、アドレス電極３２が形成される層と互いに異なる層に形成され、同時に電気的に分離されている。このために誘電層２８は、第１誘電層２８ａと第２誘電層２８ｂに区分される。つまり、第１誘電層２８ａは前面基板２０でアドレス電極３２上にこれらを覆うように形成され、この第１誘電層２８ａ上に維持電極２１と走査電極２３を含む表示電極２５が形成され、これら各々の表示電極２５を覆うように第２誘電層２８ｂが形成される。
【００４２】
この時、第１誘電層２８ａと第２誘電層２８ｂは互いに同一物質で構成されることができる。そして、維持電極２１と走査電極２３は、金属電極で構成されることが好ましい。
【００４３】
維持電極２１と走査電極２３を各々覆うように第２誘電層２８ｂを形成する時、図３に示したように、維持電極２１と走査電極２３が対向する面に形成された第２誘電層２８ｂの厚さ（ｄ１）より維持電極２１及び走査電極２３が背面基板１０に向かう面に形成された第２誘電層２８ｂの厚さ（ｄ２）がさらに厚く形成される。このような構造によって維持放電時に、隣接した放電セルに位置した電極との間で誤放電の発生を防止することができる。
【００４４】
第１誘電層２８ａと第２誘電層２８ｂ上には、ＭｇＯ保護膜２９が形成されて、プラズマ放電時に、イオンの衝突から誘電層を保護する。このようなＭｇＯ保護膜２９は、イオンが衝突した時、二次電子の放出係数も高いため、放電効率を高めることができる。
【００４５】
図４は、本発明の第１実施形態によるＰＤＰと従来の面放電型交流ＰＤＰの放電維持電圧による真空紫外線効率を比較したグラフである。
【００４６】
前記グラフを参照すると、フルＨＤ級のＰＤＰで放電維持電圧を変化させながら真空紫外線効率を計算した時、本発明の第１実施形態によるＰＤＰの発光効率は、従来の面放電３電極構造の発光効率に比べて、実際にＰＤＰが駆動される最少放電維持電圧領域で３８％以上向上される。従来の面放電３電極構造における一対の表示電極は、前面基板側に配置されて相互間面放電を誘導し、アドレス電極は背面基板側に配置されて前記表示電極との間で対向放電を誘導する。
【００４７】
このように、アドレス電極３２を前面基板２０に配置することによって、放電セル１８内での放電に関与する電極が全て前面基板２０に位置することになる。従って、背面基板１０に形成される隔壁１６によって設定される放電空間がさらに大きく確保できる。これは蛍光体が塗布される部分の面積が広くなることによって発光効率が増加することを意味する。
【００４８】
また、蛍光体上に電荷が積まれて起こるイオンスパッタリングなどによって蛍光体寿命の短縮を防止することができる。
【００４９】
また、アドレス放電に関与する走査電極２３とアドレス電極３２を近く配置させることによって、アドレス電圧を低下させることができ、維持電極２１と走査電極２３の間では、対向放電を誘導することによって、発光効率に優れていると知られるロングギャップ放電が可能になるので、従来の面放電構造に比べてさらに高い発光効率が得られる。
【００５０】
さらに、ＰＤＰが高密度化されて放電セルの大きさが小さくなることによって、従来の面放電構造で引き起こされる主要な問題、つまり、発光効率と輝度の減少、放電開始電圧の増加などの問題が同時に解決できる。
【００５１】
図５は、本発明の第１実施形態による表示電極を拡大して示す斜視図であり、図６は図１のＶＩ−ＶＩ線に沿って切断したパネルの部分結合断面図である。
【００５２】
図に示した通り、本実施形態の表示電極２５の断面は、その幅（ｂ）より高さ（ｈ）がさらに大きい四角形状を有する。また、前記表示電極２５は、一方向に長く伸びた棒形状に形成され、表示電極２５には部分的に凹部２７が形成されている。この凹部２７は表示電極２５が隔壁１６上に位置する時、表示電極２５と隔壁１６が交差する部分にだけ選択的に形成される。つまり、この凹部２７は隔壁１６の真上に位置して、表示電極２５の長さ方向に沿って一定距離を維持しながら形成される。
【００５３】
一方、前記凹部２７は、隔壁１６の上面に向かう表示電極の下面２７１を選択的に除去して形成されることができる。これによって、互いに隣接した凹部２７の間の部分２７ａは放電セル１８に向かって突出された形状を有するようになる（図６参照）。
【００５４】
この時、凹部２７が隔壁１６を包むことができるように、凹部２７はこれと対向する隔壁１６の幅Ａ２より大きい幅Ａ１で形成されることが好ましい。これにより、互いに隣接した凹部等の間の部分２７ａが放電セル１８に対応する。
【００５５】
また、凹部２７によって、放電セル１８内で維持電極２１と走査電極２３が互いに対向する部分の面積は、隔壁１６の上で維持電極２１と走査電極２３が互いに対向する部分の面積より相対的に大きくなる。このような対向する部分の面積の差は、図７で例示されているように、放電セル内での壁電荷分布に変化を与える。これによって、隣接した互いに異なる色相の放電セルの間で発生するクロストーク問題が解決できる。
【００５６】
図７を参照すると、壁電荷の分布変化は各放電セルに放電セル中心が現れ互いに対称になるガウシアン（Ｇａｕｓｓｉａｎ）分布を示す。特に、凹部の境界線で急激にその電荷分布が減ることを示すが、これにより隔壁１６をおいて電位が急激な変化を起こすようになる。このような電位変化は実質的に隔壁１６を間に置いて隣接した放電セル対１８のセル間静電遮蔽体として作用するので、一方の放電が隣接した放電セル１８に転移したり、互いに影響を及ぼし合うクロストーク問題を解決できる。
【００５７】
一方、図８は本発明の第１実施形態によるＰＤＰにおいて、放電セルによる電極の配置関係を概略的に説明する図面である。この図面からは説明の便宜上アドレス電極は省略した。
【００５８】
これを参照して、放電セルによって維持電極２１及び走査電極２３が配置されることを説明すると次のようである。
【００５９】
維持電極２１及び走査電極２３は、放電セル１８を間に置いて互いに対向し放電ギャップＧをなす形状で各放電セル１８に対応するように形成される。
【００６０】
より具体的には、それぞれの維持電極２１及び走査電極２３は、放電セル１８を形成している隔壁１６に隣接して放電セル１８の内側に配列されて、これによって放電セル１８を対向して維持電極２１及び走査電極２３が互いに対向するように配置される。
【００６１】
また、第１隔壁部材１６ａの方向に隣接する放電セル１８との関係において、維持電極２１及び走査電極２３は、一つの第２隔壁部材１６ｂを間に置いて、この第２隔壁部材１６ｂの両側に各々隣接して配列される。つまり、一対の維持電極２１及び走査電極２３は、第１隔壁部材１６ａの方向に隣接する両放電セル１８に各々一つずつ配置され、この維持電極２１と走査電極２３の間に一つの第２隔壁部材１６ｂが介される。また、前記一対の維持電極２１及び走査電極２３のうち、維持電極２１が配置された放電セル１８には、この放電セル１８を間に置いて他の走査電極２３が前記維持電極２１に対向配置される。
【００６２】
また、前記一対の維持電極２１及び走査電極２３のうち、走査電極２３が配置された放電セル１８には、この放電セル１８を間に置いて、他の維持電極２１が前記走査電極２３に対向配置される。
【００６３】
これによって、本実施形態では放電セル１８を間に置いて、維持電極２１及び走査電極２３が互いに対向配置されながら、第２隔壁部材１６ｂを間に置いて維持電極２１及び走査電極２３が一対で位置する構造を有する。
【００６４】
図９は、本発明の第２実施例形態によるＰＤＰにおいて、電極の配置関係を概略的に説明する図面である。図９に示された通り、第２実施形態では維持電極２２１が共通的に用いられる。
【００６５】
具体的には、維持電極２２１は第１隔壁部材１６ａ方向に隣接する両放電セル１８の間に配置され、走査電極２２３は前記維持電極２２１に対向するように両放電セルに各々一つずつ配置される。
【００６６】
より具体的に説明すると、一対の走査電極２２３は第２隔壁部材１６ｂに隣接して、この第２隔壁部材１６ｂによって区分される両（図面のｙ軸方向に並んだ）放電セル１８の内側に各々一つずつ配置される。そして、維持電極２２１は前記第２隔壁部材１６ｂに対向する第２隔壁部材１６ｂ上に配置される。
【００６７】
そのために、第２実施形態では放電セル１８を間に置いて維持電極２２１及び走査電極２２３が互いに対向配置されながら、一つの維持電極２２１と一対の走査電極２２３が第１隔壁部材１６ａの方向に沿って、相互交代しながら配置される構造になる。
【００６８】
図１０は、本発明の第３実施形態によるＰＤＰにおいて、電極の配置関係を概略的に説明する図面である。
【００６９】
図１０に示された通り、第３実施形態では維持電極３２１及び走査電極３２３が第２隔壁部材１６ｂに各々対応するように配置される。より具体的に説明すると、維持電極３２１または走査電極３２３は互いに同一色相の蛍光体層を有する隣接した一対の放電セルの間で一つずつ対応する一方、前記維持電極３２１及び走査電極３２３は第１隔壁部材１６ａ方向に沿って互いに交代しながら第２隔壁部材１６ｂ上に各々配置される。
【００７０】
以上、本発明の好ましい実施例について説明したが、本発明はこれに限定されることなく、特許請求の範囲と発明の詳細な説明及び添付図の範囲内で多様に変形または変更して実施することが可能であって、これらも本発明の範囲に属するものとする。
【図面の簡単な説明】
【００７１】
【図１】本発明の第１実施形態によるＰＤＰを示す部分分解斜視図である。
【図２】図１に示したＰＤＰにおいて、電極と放電セルの構造を概略的に示す部分平面図である。
【図３】本実施形態のＰＤＰを図１のＩＩＩ−ＩＩＩ線に沿って切開した部分結合断面図である。
【図４】ＰＤＰと従来の面放電３電極構造の放電維持電圧による真空紫外線効率を比較したグラフである。
【図５】図１に示された電極を選択的に拡大して示す斜視図である。
【図６】本実施形態のＰＤＰを図１のＶＩ−ＶＩ線に沿って切開した部分結合断面図である。
【図７】電極の位置による壁電荷の分布量を説明する図面である。
【図８】本発明の第１実施形態によるＰＤＰにおいて、放電セルによる電極の配置関係を概略的に説明する図面である。
【図９】本発明の第２実施形態によるＰＤＰにおいて、電極の配置関係を概略的に説明する図面である。
【図１０】本発明の第３実施例によるＰＤＰにおいて、電極の配置関係を概略的に説明する図面である。
【図１１】キセノンガスの分圧を変化させながら面放電型電極構造と対向放電型電極構造の放電開始電圧を測定した結果を示すグラフである。
【符号の説明】
【００７２】
１０        背面基板
１６        隔壁
１６ａ      隔壁部材
１６ｂ      隔壁部材
１８        放電セル
１９        蛍光体層
２０        前面基板
２１        維持電極
２３        走査電極
２３ａ      突出電極
２５        表示電極
２７        凹部
２８        誘電層
２８ａ      第１誘電層
２８ｂ      第２誘電層
２９        ＭｇＯ保護膜
３２        アドレス電極
３２ａ      突出電極
３２ｂ      バス電極
１４１      隔壁の底面
１６１      隔壁の側面
２２１      維持電極
２２３      走査電極
２７１      表示電極下面
３２１      維持電極
３２３      走査電極
【図１】
2006120615.tif 000003
【図２】
2006120615.tif 000004
【図３】
2006120615.tif 000005
【図４】
2006120615.tif 000006
【図５】
2006120615.tif 000007
【図６】
2006120615.tif 000008
【図７】
2006120615.tif 000009
【図８】
2006120615.tif 000010
【図９】
2006120615.tif 000011
【図１０】
2006120615.tif 000012
【図１１】
2006120615.tif 000013